(57)【特許請求の範囲】
【請求項１】
第１の記録媒体が挿入される第１の挿入部と、
第２の記録媒体が挿入される第２の挿入部と、
前記第１の挿入部に設けられ、前記第１の記録媒体が挿入されるとき前記第１の記録媒体の挿入を許容する退避位置に移動し、前記第２の記録媒体が挿入されるとき前記第１の記録媒体の挿入を阻止する挿入阻止位置に移動する第１の挿入防止部材と、
前記第２の挿入部に設けられ、前記第２の記録媒体が挿入されるとき前記第２の記録媒体の挿入を許容する退避位置に移動し、前記第１の記録媒体が挿入されるとき前記第２の記録媒体の挿入を阻止する挿入阻止位置に移動する第２の挿入防止部材と、を備え、
前記第１の挿入防止部材と第２の挿入防止部材とは、何れか一方が退避位置に移動したとき、他方を挿入阻止位置に保持する記録媒体装着装置において、
前記第１の挿入防止部材及び第２の挿入防止部材は、何れか一方が上下方向に回動可能に設けられ、何れか他方が水平方向に回動可能に設けられたことを特徴とする記録媒体装着装置。
【発明の詳細な説明】
【０００１】
【発明の属する技術分野】
本発明は２つの記録媒体が個別に挿入される一対の挿入部を有する記録媒体装着装置に関する。
【０００２】
【従来の技術】
例えば、デジタルカメラでは、撮影された画像データを装着された記録媒体に記憶させるように構成されている。この種の記録媒体としては、撮影した画像データを保存する手段としてコンパクトフラッシュ、マイクロドライブ（コンパクトフラッシュよりも厚い）または、スマートメディア（コンパクトフラッシュよりも薄くて小さい）と呼ばれている形態の異なる複数種のカード状記録媒体がある。
このように種類の異なる複数のカード状記録媒体が存在するため、例えばコンパクトフラッシュが挿入される第１の挿入部とスマートメディアが挿入される第２の挿入部とを有する記録媒体装着装置が開発されている。
【０００３】
従来の記録媒体装着装置では、第１のカード状記録媒体が挿入される第１の挿入部と第２のカード状記録媒体が挿入される第２の挿入部とが上下方向に重なるように配置されている。
また、上記のような２種類のカード状記録媒体が個別に挿入される記録媒体装着装置においては、例えばパーソナルコンピュータ等に接続される外部記憶ユニット等に組み込まれており、この種の外部記憶ユニットには、コストダウンのため、ＬＳＩが兼用で使用されるようになっている。そのため、２種類のカード状記録媒体に対して同時にデータの読み取り、あるいは書き込みすることができず、何れか一方のカード状記録媒体のみと信号の送受信が行えるようになっている。
【０００４】
従って、記録媒体装着装置では、同時に２種類のカード状記録媒体が挿入されることを防止するため、第１の挿入部または第２の挿入部の何れか一方にカード状記録媒体が挿入されると、他方の挿入部にカード状記録媒体が挿入できないようにする同時挿入防止機構が設けられている。
この同時挿入防止機構は、揺動部材が第１の挿入部と第２の挿入部との間で揺動可能に設けられており、第１の挿入部または第２の挿入部の何れか一方にカード状記録媒体が挿入されると、揺動部材がカード状記録媒体に押圧されて他方の挿入部側へ揺動して他方の挿入部を閉塞する。
【０００５】
これにより、他方の挿入部にカード状記録媒体が挿入されることが防止されるため、２種類のカード状記録媒体が同時に挿入されることを防止できる。
【０００６】
【発明が解決しようとする課題】
ところが、従来の記録媒体装着装置では、同時挿入防止機構の揺動部材が第１の挿入部と第２の挿入部との間で揺動可能に設けられているので、例えば第１の挿入部にカード状記録媒体が挿入された状態で第２の挿入部にカード状記録媒体を挿入しようとすると、第２の挿入部を閉塞している揺動部材を押圧して第１の挿入部側へ回動させようとする押圧力が働く。
【０００７】
そのため、従来の記録媒体装着装置においては、揺動部材が第１の挿入部に挿入されたカード状記録媒体を押圧することになり、カード状記録媒体に不要な押圧力が作用するという問題があった。
【０００８】
そこで、本発明は上記課題を解決した記録媒体装着装置を提供することを目的とする。
【０００９】
【課題を解決するための手段】
本発明は上記課題を解決するため、以下のような特徴を有する。
【００１０】
上記請求項１記載の発明は、第１の挿入防止部材及び第２の挿入防止部材が、何れか一方が上下方向に回動可能に設けられ、何れか他方が水平方向に回動可能に設けられており、一方の挿入部に記録媒体が挿入されたとき、他方の挿入防止部材が退避位置へ移動できないように規制することができ、第１、第２の挿入部のうち先に記録媒体が挿入された方の挿入操作を許容し、後から他方の挿入部に記録媒体が挿入されることを確実に防止できる。
【００１１】
さらに、第１の挿入防止部材と第２の挿入防止部材との動作方向が異なるので、一方の挿入部に記録媒体が挿入済みの状態で他方の挿入部に別の記録媒体が挿入されると、単に他方の挿入防止部材が一方の挿入防止部材を押圧するだけで、挿入済みの記録媒体を押圧することを防止できる。
【００１２】
【発明の実施の形態】
以下、図面と共に本発明の一実施例について説明する。
図１は本発明になる記録媒体装着装置の一実施例が適用された外部記憶ユニットを示す斜視図である。
【００１３】
図１に示されるように、外部記憶ユニット１０は、同一の筐体１２内に３種類の記録媒体が装着できるように構成されており、筐体１２の正面１２ａの上段には、第１の挿入口１４と、第２の挿入口１６とが並設されている。このように、第１の挿入口１４と第２の挿入口１６とが並設されているので、上下に重ねる場合よりも装置全体の薄型化が図られている。また、筐体１２の正面１２ａの下段には、第３の挿入口１８が設けられている。
【００１４】
各挿入口１４，１６，１８の内側には、夫々挿入された記録媒体を装着する装着装置（図１では隠れて見えない）が設けられている。また、各挿入口１４，１６，１８は、幅寸法及び高さ寸法が異なっており、夫々挿入される記録媒体の形状に応じた寸法形状に形成されている。
【００１５】
本実施例では、例えば第１の挿入口１４は、コンパクトフラッシュまたはマイクロドライブと呼ばれているカード状記録媒体の幅寸法及び高さ寸法に対応する寸法形状に形成され、第２の挿入口１６はスマートメディアと呼ばれているカード状記録媒体の幅寸法及び高さ寸法に対応する寸法形状に形成され、第３の挿入口１８は、可撓性磁気ディスクが収納されたカートリッジの幅寸法及び高さ寸法に対応する寸法形状に形成されている。
また、第１の挿入口１４及び第３の挿入口１８の側方には、イジェクト釦２０，２２が突出している。
【００１６】
次に第１の挿入口１４及び第２の挿入口１６の内側に設けられた同時挿入防止機構２４について説明する。
図２は同時挿入防止機構２４の構成を示す斜視図である。図３は同時挿入防止機構２４の構成を示す平面図である。
【００１７】
図２及び図３に示されるように、同時挿入防止機構２４は、第１の挿入口１４から挿入された第１のカード状記録媒体２６または第２の挿入口１６から挿入された第２のカード状記録媒体２８の先に挿入された記録媒体を装着可能とすると共に、後から挿入された記録媒体の挿入を阻止して2種類の記録媒体が同時に挿入されることを防止するものである。従って、同時挿入防止機構２４は、第１のカード状記録媒体２６または第２のカード状記録媒体２８の何れか一方が挿入されると、第１のストッパ部材３０及び第２のストッパ部材３２が互いに干渉して他方の記録媒体が挿入されないように動作する。
【００１８】
同時挿入防止機構２４は、第１の挿入口１４の内側に設けられた第１のストッパ部材（第１の挿入防止部材）３０と、第２の挿入口１６の内側に設けられた第２のストッパ部材（第２の挿入防止部材）３２と、第２のストッパ部材３２を挿入阻止位置に保持するためのカム部３４と、第２のストッパ部材３２の位置を規制するための掛止ピン３６とから構成されている。また、第１のストッパ部材３０の後方には、第１のカード状記録媒体２６が接続される第１のコネクタ３８が取り付けられており、第２のストッパ部材３２の後方には、第２のカード状記録媒体２８が接続される第２のコネクタ４０が取り付けられている。
第１のストッパ部材３０は、取付ねじ４４の締め付けによりフレーム４２に固定されており、イジェクト方向（Ｂ方向）に延在する当接部３０ａが第１のカード状記録媒体２６の挿入により下方向に変位できるように設けられている。
【００１９】
また、第２のストッパ部材３２は、取付ねじ４６を軸として水平方向に回動可能に支持されており、第２のカード状記録媒体２８の挿入により後方へ回動できるように設けられている。このように、第１のストッパ部材３０と第２のストッパ部材３２との動作方向が異なるので、後述するように既に挿入された記録媒体が他の記録媒体の挿入により干渉されることを防止でき、例えば、第１のカード状記録媒体２６が挿入済みの状態で第２のカード状記録媒体２８が挿入されると、単に第２のストッパ部材３２が第１のストッパ部材３０を押圧するだけで、挿入済みの第１のカード状記録媒体２６を押圧することを防止できる。
【００２０】
図４は第１のストッパ部材３０の構成を示す図であり、（Ａ）は平面図、（Ｂ）は正面図、（Ｃ）は側面図である。
図４（Ａ）〜（Ｃ）に示されるように、第１のストッパ部材３０は、樹脂材により一体成形されており、第１の挿入口１４に挿入された第１のカード状記録媒体２６の挿入側端部に当接する当接部３０ａと、当接部３０ａを支持する一対のアーム３０ｂ，３０ｃと、フレーム４２に載置される固定部３０ｄとを有する。
【００２１】
当接部３０ａは、第１のカード状記録媒体２６の挿入側端部が当接しやすいように横幅寸法が大きく形成されており、その前面３０ｅが垂直方向に対して角度αで傾斜している。また、一対のアーム３０ｂ，３０ｃは、比較的細いため、容易に撓むことができる。また、固定部３０ｄは、取付ねじ４４が挿通される取付孔３０ｆと、フレーム４２上に突出するピン４８が嵌合するための凹部３０ｇとが設けられている。尚、凹部３０ｇは、上下方向に貫通すると共に、上方からみると側方に抜けるＵ字形状に形成されている。
【００２２】
図５（Ａ）（Ｂ）は第１のカード状記録媒体２６のみが第１の挿入口１４に挿入されたときの動作を示す側面図である。
図５（Ａ）に示されるように、記録媒体挿入前の状態は、第１のストッパ部材３０の当接部３０ａが第１の挿入口１４に対向する高さ位置に支持されている。そして、第１のストッパ部材３０の前面３０ｅが傾斜しているため、第１のカード状記録媒体２６の挿入側端部２６ａが第１のストッパ部材３０の当接部３０ａを押圧すると、図５（Ｂ）に示されるように、下方に押圧する力が当接部３０ａに作用する。そのため、第１のストッパ部材３０の当接部３０ａは、第１のカード状記録媒体２６の挿入を許容する退避位置に変位する。
これにより、第１のカード状記録媒体２６は、第１の挿入口１４を通過して装置内部に挿入されて挿入側端部２６ａに設けられた電極が２６ｂがコネクタ３８に接続されると共に、コネクタピン（図示せず）の押圧力により接続状態に保持される。
【００２３】
図６は第２のストッパ部材３２の構成を示す図であり、（Ａ）は平面図、（Ｂ）は側面図、（Ｃ）は正面図である。
図６（Ａ）〜（Ｃ）に示されるように、第２のストッパ部材３２は、フレーム４２上に載置されるベース３２ａと、ベース３２ａの中央に設けられた取付孔３２ｂと、ベース３２ａ上に起立するガイドピン５０が嵌合する円弧状のガイド孔３２ｃと、ベース３２ａに対して所定角度βで下方に傾斜するアーム３２ｄと、アーム３２ｄの先端の上方に突出して第２のカード状記録媒体２８の挿入側端部に当接する当接部３２ｅと、アーム３２ｄの先端の下方に突出してカム部３４に摺接する半球状の摺接部３２ｆと、ベース３２ａより水平方向に延在して掛止ピン３６に掛止されるバネ部３２ｇと、ベース３２ａの後部に設けられた規制部３２ｈとを有する。
また、第２のストッパ部材３２のバネ部３２ｇは、掛止ピン３６に掛止されているため、第２のカード状記録媒体２８の挿入操作により挿入方向に回動すると共に、撓んで第２のストッパ部材３２をイジェクト方向へ回動させる復帰力を発生する。
【００２４】
図７（Ａ）（Ｂ）は第２のカード状記録媒体２８のみが第２の挿入口１６に挿入されたときの動作を示す側面図である。図８（Ａ）（Ｂ）は第２のカード状記録媒体２８のみが第２の挿入口１６に挿入されたときの動作を示す背面図である。
図７（Ａ）及び図８（Ａ）に示されるように、記録媒体挿入前の状態は、第２のストッパ部材３２の摺接部３２ｆがカム部３４の上面３４ａに乗り上げているため、ストッパ部材３２の当接部３２ｅが第２の挿入口１６の内側で対向する位置に保持されている。そのため、第２のカード状記録媒体２８が第２の挿入口１６に挿入されると、第２のカード状記録媒体２８の挿入側端部２８ａは、第２のストッパ部材３２の当接部３２ｅに当接して第２のストッパ部材３２を挿入方向に回動させる。
その際、第２のストッパ部材３２は、図７（Ｂ）及び図８（Ｂ）に示されるように、摺接部３２ｆがカム部３４の傾斜面３４ｂを通過してフレーム４２上に摺接するため、当接部３２ｅが第２のカード状記録媒体２８が挿入高さよりも低い退避位置に移動する。これにより、第２のカード状記録媒体２８の挿入が可能になり、第２のカード状記録媒体２８は、下面に設けられた電極２８ｂがコネクタ４０に接続されると共に、コネクタピン（図示せず）の押圧力により接続状態に保持される。
【００２５】
図９（Ａ）（Ｂ）は第２のカード状記録媒体２８が第２の挿入口１６に挿入されたときの第１のストッパ部材３０の動作を示す側面図である。
図９（Ａ）に示されるように、第２のカード状記録媒体２８が第２の挿入口１６に挿入されると、第２のストッパ部材３２の当接部３２ｅが挿入方向に回動すると共に、後部側に突出する規制部３２ｈが第１のストッパ部材３０の当接部３０ａの下側に移動する。これにより、第１のストッパ部材３０は、当接部３０ａが第２のストッパ部材３２の規制部３２ｈに当接して下方に変位できなくなる。
【００２６】
従って、第２のカード状記録媒体２８が第２の挿入口１６に挿入された状態で第１のカード状記録媒体２６が第１の挿入口１４に挿入された場合、当接部３０ａを下方に押圧する力が作用するが、図９（Ｂ）に示されるように、当接部３０ａが第２のストッパ部材３２の規制部３２ｈに当接するため、当接部３０ａは退避位置に変位できず、第１の挿入口１４を閉塞する位置に保持される。
これにより、第１のカード状記録媒体２６は、それ以上挿入できなくなり、コネクタ３８への接続が阻止される。
【００２７】
また、上記とは逆に、第１のカード状記録媒体２６が第１の挿入口１４に挿入された状態で第２のカード状記録媒体２８が第２の挿入口１６に挿入された場合、第１のストッパ部材３０の当接部３０ａの下側に移動して退避位置にあるため、第２のストッパ部材３２の規制部３２ｈが第１のストッパ部材３０の当接部３０ａの側面に当接して第２のストッパ部材３２の回動動作が阻止される。その結果、第２のカード状記録媒体２８は、第２のストッパ部材３２の回動が停止した時点でそれ以上挿入できなくなり、コネクタ４０への接続が阻止される。
【００２８】
ここで、２種類のカード状記録媒体２６，２８の何れか一方が挿入された状態で他方のカード状記録媒体を挿入する場合のストッパ部材３０，３２の連携動作について詳細に説明する。
▲１▼  既に第１のカード状記録媒体２６が第１の挿入口１４に挿入された状態で第２のカード状記録媒体２８が第２の挿入口１６に挿入された場合について説明する。
【００２９】
図１０及び図１１に示されるように、先に第１のカード状記録媒体２６が第１の挿入口１４に挿入されると、第１のカード状記録媒体２６の挿入側端部２６ａが第１のストッパ部材３０の当接部３０ａを押圧する。これにより、第１のストッパ部材３０の前面３０ｅは、傾斜しているため、下方に押圧されて当接部３０ａが下方に変位する（図５（Ｂ）を参照）。そのため、第１のストッパ部材３０の当接部３０ａは、第１のカード状記録媒体２６の挿入を許容する退避位置に変位すると共に、第１のカード状記録媒体２６は、装置内部に挿入されて挿入側端部２６ａがコネクタ３８に接続される。
【００３０】
このように、第１のストッパ部材３０の当接部３０ａが退避位置に変位すると、当接部３０ａが第２のストッパ部材３２の回動動作を阻止するように下方に変位している。この状態で第２のカード状記録媒体２８が第２の挿入口１６に挿入されると、第２のカード状記録媒体２８の挿入側端部２８ａは、第２のストッパ部材３２の当接部３２ｅに当接して第２のストッパ部材３２を挿入方向（Ａ方向）に回動させる。
【００３１】
しかしながら、既に第１のストッパ部材３０のアーム３０ｂ，３０ｃが下方に変位しているので、第２のストッパ部材３２の規制部３２ｈが第１のストッパ部材３０の当接部３０ａの側面に当接して回動が阻止される。そのため、第２のカード状記録媒体２８をそれ以上装置内部に挿入することができなくなり、２種類のカード状記録媒体２６，２８が同時に装着されることが防止される。
【００３２】
このように、既に第１のカード状記録媒体２６が第１の挿入口１４に挿入された状態で第２のカード状記録媒体２８が第２の挿入口１６に挿入された場合、第２のストッパ部材３２の規制部３２ｈが第１のストッパ部材３０の当接部３０ａの側面に当接して回動が阻止されるため、後から第２のカード状記録媒体２８を挿入する際に先に挿入された第１のカード状記録媒体２６に不要な力が作用しないように構成されている。
【００３３】
▲２▼  既に第２のカード状記録媒体２８が第２の挿入口１６に挿入された状態で第１のカード状記録媒体２６が第１の挿入口１８に挿入された場合について説明する。
図１２及び図１３に示されるように、先に第２のカード状記録媒体２８が第２の挿入口１６に挿入されると、第２のカード状記録媒体２８の挿入側端部２８ａは、第２のストッパ部材３２の当接部３２ｅに当接して第２のストッパ部材３２を挿入方向（Ａ方向）に回動させる（図７（Ｂ）及び図８（Ｂ）を参照）。
また、第２のカード状記録媒体２８の挿入操作により、第２のストッパ部材３２は、挿入方向に回動すると共に、バネ部３２ｇが撓んで第２のストッパ部材３２をイジェクト方向へ付勢する。イジェクト操作されると、第２のストッパ部材３２は、バネ部３２ｇの付勢力によりイジェクト（Ｂ方向）に回動する。
上記のように、第２のカード状記録媒体２８が挿入される過程では、第２のストッパ部材３２の摺接部３２ｆがカム部３４の傾斜面３４ｂを通過してフレーム４２に摺接する。そのため、第２のストッパ部材３２の当接部３２ｅは、第２のカード状記録媒体２８の挿入高さよりも低い退避位置に移動する。このとき、第２のカード状記録媒体２８が第２の挿入口１６に挿入されると、第２のストッパ部材３２の当接部３２ｅが挿入方向に回動すると共に、後部側に突出する規制部３２ｈが第１のストッパ部材３０の当接部３０ａの下側に移動する。
【００３４】
これにより、第２のカード状記録媒体２８は、第２のストッパ部材３２に邪魔されずに挿入することが可能になり、コネクタ４０に接続される。
この後、第１のカード状記録媒体２８が第1の挿入口１４に挿入されると、第２のストッパ部材３２の規制部３２ｈが第１のストッパ部材３０の当接部３０ａの下側に移動しているため、第１のストッパ部材３０は、当接部３０ａが第２のストッパ部材３２の規制部３２ｈに当接して下方に変位できない。
【００３５】
これにより、先に第２のカード状記録媒体２８が第２の挿入口１６に挿入された状態で後から第１のカード状記録媒体２６が第１の挿入口１４に挿入された場合、第１のストッパ部材３０の当接部３０ａを下方に押圧する力が作用するものの当接部３０ａが第２のストッパ部材３２の規制部３２ｈの上面に当接する。そのため、第１のストッパ部材３０は、退避位置に変位できず、第１の挿入口１４を閉塞する位置に保持される（図９（Ｂ）を参照）。
その結果、第１のカード状記録媒体２６は、それ以上挿入できなくなり、コネクタ３８への接続が阻止される。
【００３６】
このように、既に第２のカード状記録媒体２８が第２の挿入口１６に挿入された状態で第１のカード状記録媒体２６が第１の挿入口１８に挿入された場合、第１のストッパ部材３０の当接部３０ａが第２のストッパ部材３２の規制部３２ｈの上面に当接するため、後から第１のカード状記録媒体２６を挿入する際に先に挿入された第２のカード状記録媒体２８に不要な力が作用しないように構成されている。
【００３７】
上記実施例では、外部記憶ユニット１０の筐体１２内に３種類の記録媒体が装着できるように構成されているが、これに限らず、上記実施例に記載した記録媒体以外の他の形式の記録媒体が装着される構成にも本発明が適用できるのは勿論である。
【００３８】
また、外部記憶ユニット１０では、磁気ディスクカートリッジも装着できる構成としたが、これに限らず、少なくとも２種類のカード状記録媒体２６，２８が装着できる構成であれば良い。
図１４は変形例を示す斜視図である。
図１４に示されるように、変形例の外部記憶ユニット５２は、同一の筐体５４内に２種類のカード状記録媒体２６，２８の何れか一方のみが装着できるように構成されており、筐体５４の正面５４ａには、第１の挿入口１４と、第２の挿入口１６とが並設されている。このように、第１の挿入口１４と第２の挿入口１６とが並設されているので、上下に重ねる場合よりも装置全体の薄型化が図られている。
【００３９】
また、上記実施例では、寸法形状の異なる２種類のカード状記録媒体２６，２８が装着される場合を一例として挙げたが、これに限らず、カード状記録媒体以外の記録媒体が装着される装置にも適用できるのは勿論である。
また、上記実施例では、寸法形状の異なる２種類のカード状記録媒体２６，２８が装着される場合を一例として挙げたが、これに限らず、同一形状の２つの記録媒体が装着されるよう構成された装置にも適用できるのは勿論である。
【００４０】
【発明の効果】
上述の如く、請求項１記載の発明によれば、第１の挿入防止部材及び第２の挿入防止部材が、何れか一方が上下方向に回動可能に設けられ、何れか他方が水平方向に回動可能に設けられたため、一方の挿入部に記録媒体が挿入されたとき、他方の挿入防止部材が退避位置へ移動できないように規制することができ、第１、第２の挿入部のうち先に記録媒体が挿入された方の挿入操作を許容し、後から他方の挿入部に記録媒体が挿入されることを確実に防止できる。
【００４１】
また、第１の挿入防止部材及び第２の挿入防止部材が各挿入部に個別に設けられているので、既に挿入された記録媒体が他の記録媒体の挿入により干渉されることを防止できる。
【００４２】
さらに、第１の挿入防止部材と第２の挿入防止部材との動作方向が異なるので、一方の挿入部に記録媒体が挿入済みの状態で他方の挿入部に別の記録媒体が挿入されると、単に他方の挿入防止部材が一方の挿入防止部材を押圧するだけで、挿入済みの記録媒体を押圧することを防止できる。
【図面の簡単な説明】
【図１】本発明になる記録媒体装着装置の一実施例が適用された外部記憶ユニットを示す斜視図である。
【図２】同時挿入防止機構２４の構成を示す斜視図である。
【図３】同時挿入防止機構２４の構成を示す平面図である。
【図４】第１のストッパ部材３０の構成を示す図であり、（Ａ）は平面図、（Ｂ）は正面図、（Ｃ）は側面図である。
【図５】第１のカード状記録媒体２６のみが第１の挿入口１４に挿入されたときの動作を示す側面図である。
【図６】第２のストッパ部材３２の構成を示す図であり、（Ａ）は平面図、（Ｂ）は側面図、（Ｃ）は正面図である。
【図７】第２のカード状記録媒体２８のみが第２の挿入口１６に挿入されたときの動作を示す側面図である。
【図８】第２のカード状記録媒体２８のみが第２の挿入口１６に挿入されたときの動作を示す背面図である。
【図９】第２のカード状記録媒体２８が第２の挿入口１６に挿入されたときの第１のストッパ部材３０の動作を示す側面図である。
【図１０】既に第１のカード状記録媒体２６が第１の挿入口１４に挿入された状態で第２のカード状記録媒体２８が第２の挿入口１６に挿入された場合について説明するための斜視図である。
【図１１】既に第１のカード状記録媒体２６が第１の挿入口１４に挿入された状態で第２のカード状記録媒体２８が第２の挿入口１６に挿入された場合について説明するための平面図である。
【図１２】既に第２のカード状記録媒体２８が第２の挿入口１６に挿入された状態で第１のカード状記録媒体２６が第１の挿入口１８に挿入された場合について説明するための斜視図である。
【図１３】既に第２のカード状記録媒体２８が第２の挿入口１６に挿入された状態で第１のカード状記録媒体２６が第１の挿入口１８に挿入された場合について説明するための平面図である。
【図１４】変形例を示す斜視図である。
【符号の説明】
１０，５２  外部記憶ユニット
１２，５４  筐体
１４  第１の挿入口
１６  第２の挿入口
１８  第３の挿入口
２４  同時挿入防止機構
２６  第１のカード状記録媒体
２８  第２のカード状記録媒体
３０  第１のストッパ部材
３０ａ  当接部
３０ｂ，３０ｃ  アーム
３０ｄ  固定部
３０ｅ  前面
３２  第２のストッパ部材
３２ａ  ベース
３２ｂ  取付孔
３２ｃ  ガイド孔
３２ｄ  アーム
３２ｅ  当接部
３２ｆ  摺接部
３２ｇ  バネ部
３２ｈ  規制部
３４  カム部
３６  掛止ピン
３８  第１のコネクタ
４０  第２のコネクタ
【図１】
0003674505.tif 000002
【図２】
0003674505.tif 000003
【図３】
0003674505.tif 000004
【図４】
0003674505.tif 000005
【図５】
0003674505.tif 000006
【図６】
0003674505.tif 000007
【図７】
0003674505.tif 000008
【図８】
0003674505.tif 000009
【図９】
0003674505.tif 000010
【図１０】
0003674505.tif 000011
【図１１】
0003674505.tif 000012
【図１２】
0003674505.tif 000013
【図１３】
0003674505.tif 000014
【図１４】
0003674505.tif 000015